(57)【要約】小さい電流強さから中くらいの電流強さまでの、電流レール（１１）の形式の電気的な導体組織体は本発明によれば極めて安価にかつ横断面幾何形状において多面的に多成分押し出しプロセスで製作することができ、この場合ただ１つの工程で、金属化不能なプラスティックから支持体（１２）が、かつこの支持体内の縦溝（１５）内に縁取りされて延びる導体連続体（１７）が金属化可能なプラスティックが押し出される；　次いで続いて行われるメッキの経過において強制的に単に導体連続体の露出している表面だけが、電流を導くために、金属化される。
2004512634.tif 000002
【特許請求の範囲】
【請求項１】
絶縁物質より成る支持体（１２）内の溝（１５）内で延びる電気的な導体連続体（１７）を備えた押し出し電流レール（１１）において、電流レールが、少なくとも１つの支持体（１２）と、押し出しプロフィールの露出している端面上に金属化部（１８）を備えた少なくとも１つの導体連続体（１７）とから成る一体の押し出し体であり、押し出しプロフィールは金属化不能の材料から成る支持体（１２）内に埋め込まれていることを特徴とする、電流レール。
【請求項２】
導体連続体（１７）が溝内に押し出されており、この溝は、支持体（１２）の側壁（１３）の間のヨーク（１４）内で、あるいはヨーク（１４）上の縦リブ（１６）の間で、若しくは角柱状の支持体（１２）あるいは支持体により縁取られたコア（１９）の母線に沿って、延びていることを特徴とする、請求項１記載の電流レール。
【請求項３】
中空の支持体（１２）あるいは支持体により縁取られた中空のコア（１９）が、その内周面に少なくとも１つの縦方向に延びる金属化部（１８）を有していることを特徴とする、請求項１又は２記載の電流レール。
【請求項４】
コア（１９）及び導体連続体（１７）が一体に同一の材料から成っていることを特徴とする、請求項１から３までのいずれか１項に記載の電流レール。
【請求項５】
中空のコア（１９）を被覆している角柱状の支持体（１２）が、中空のコア（１９）の内周面の母線に沿ってリブ形に延びていることを特徴とする、請求項１から４までのいずれか１項に記載の電流レール。
【請求項６】
金属化不能の軟質の電流レールが３重の共有押し出し成形物として、シールリップとして作用する材料をも備えたその支持体（１２）に沿って押し出されていることを特徴とする、請求項１から５までのいずれか１項に記載の電流レール。
【請求項７】
請求項２から６までのいずれか１項に記載の電流レールを、絞り、弁などの流動調節エレメントを制御するためあるいはセンサ信号を伝達するために使用すること。
【請求項８】
請求項２から６までのいずれか１項に記載の電流レールを、覆いプロフィール又は基準構造プロフィールにおける供給導体又は信号化導体として使用すること。
【請求項９】
１つの押し出し工程において、支持体を金属化不能のプラスティックから、かつ同時に、支持体内に入れられた少なくとも１つの導体連続体を金属化可能な電気的に絶縁するプラスティックから生ぜしめ、次いで導体連続体の、支持体内で露出している表面を金属化することを特徴とする、請求項１から６までのいずれか１項に記載の電流レールを製作する方法。
【請求項１０】
一体の多成分押し出し体を切断しないで、バンドメッキをすることを特徴とする、請求項９記載の方法。
【発明の詳細な説明】
【０００１】
本発明は、電流レール、その特別な使用及びそれを製作する方法に関する。
【０００２】
請求項１の上位概念に記載した特徴は、ＤＥ ４３ ０８ ７３５ Ｃ１から公知である。そこの電流レールは機械的及び電気的に遮蔽された導体路を有しており、この導体路に沿って、しゅう動接点が、電磁的に邪魔汚染された周囲にもかかわらず、データを邪魔されずに取り出すために、変位可能である。このために、金属バンドが表面を接近可能に、押し出されたプラスティックバンドの縦通路内に埋め込まれており、このプラスティックバンド内に、その全長及び全幅にわたって、電気的な遮蔽部として役立つ金属編組体が溶融せしめられている。このように装備されたプラスティックバンドは、内側に位置する金属バンドの回りにｃ構造部に曲げられ、このｃ構造部は半径方向でＣ形の、プラスティックから成る支持体プロフィール内に挿入される。その中でｃ構造部は弾性的に幾分か拡開する；
しかしその縦縁は半径方向のｃスリットを閉じるためのシールリップを形成し、このシールリップに沿って、金属編組体の縦縁が、それがまさに局所的にここで金属バンドに向かって半径方向で係合するしゅう動接点によって拡開されないときに、互いに接触する。内部に、金属バンドを備えたプラスティックバンドのｃ構造部を受容している支持体プロフィールは外部に縦方向に延びるリブを構成されていることができ、これらのリブの端縁は横断面がＥ形のキャップを平行なエネルギ供給のための電流導体として備えている。
【０００３】
電気的なエネルギを準備するために市販の電流レールはしかし普通は横断面がＵ形の支持体から成っており、そのヨーク上に内側で、要するに側方にそびえ立つ脚部の間に、接点接続可能な導体が、成形された金属レールあるいは内実のワイヤの形で、むき出しに（要するに絶縁なしに）溝内に埋め込まれているか、あるいはヨーク上で互いに隔てられたピン又は通り抜けるリブの間で保持されている。このような導体はその横断面によって著しい電流強さをアダプタに案内することができ、これらの導体は自由な選択でかつ再び取り外し可能に、導体へのオームの接点接続で、摩擦力接続あるいは形状接続で、支持体に沿って固定可能であり、これにより例えば光源あるいは供給接続部に供給することができる。もちろん、内実の導体の取り付け及び切断は製作技術的に極めて高価である。しばしば導体のこのように大きな横断面は、例えば信号網あるいはデータ網において必要でない；
しかし前製作された支持体プロフィールに、後から確実に接点接続すべき細いワイヤを設けることは、なお作業費が高価である。
【０００４】
この事情を認識して、本発明の根底をなす技術的な問題は、電流レールのための電気的な導体組織体が、より有利に製作可能でありかつ特にまた、従来の形式の電流レールに限定されず、万能的に使用可能であるようにすることである。
【０００５】
この課題は本発明によれば、主請求項に記載した特徴組み合わせによって解決された。それによれば、このような、電流レールとして使用可能な導体組織体は、互いに組み合わされる金属化不能なプラスティックプロフィールと金属化可能なプラスティックプロフィールとの押し出し組織体から成り、これらのプラスティックプロフィールは共通の押し出し過程において直接に金属化不能な支持体として、その中に入れられた金属化可能な導体連続体を備えて、作成される。ここでいわゆる導体連続体は要するに先ずまだ電気的な導体ではない：
電気的な導体には、導体連続体はその支持体の表面内で露出している端面の金属化によってなる。横断面幾何形状の形成においては、大きな自由がある。例えば、導体連続体は、金属化不能な支持体により被覆されているコア上の縦リブであることができ、このコアはこれらのリブをもって、被覆部を横断面が星形にその外周面の平面にまで貫通する。また導体連続体コアは、構造的な理由から若しくは材料又は重量の節減のために、中空であることができ、かつこれによって付加的にその内周面に金属化部を受容することができる。この金属化部自体はこれによって円周方向に互いに絶縁された、条片形にコア軸線に対して平行に延びる導体に分割しておくことができ、支持体、要するに金属化不能な被覆部はリブ形に中空のコアの内周面にまで突き出ることもできる。
【０００６】
これらのプロフィールは従来の電流レールとして、例えば照明のためあるいはデータ伝達課題のために使用することができる。経済的により興味のあることは、しかしながら、型にはまらない使用であり、いわば２つの利用である；
例えば流体通路として利用される管の内壁面に沿ったセンサ情報あるいは制御情報の、外部から接近不能であるために保護された伝達、あるいは室内装備のための横断面が凸状の覆いプロフィールの内角範囲内に目立たずに、基本構造設備の支柱及び横材に沿って、あるいは従来の装備のケーブル通路を備えた構造ユニット内に使用することができる。
【０００７】
導体連続体の露出している表面の金属化のためには、有利にはこのようにして組み合わされた押し出し組織体は切断せずに、バンドメッキ処理をすることができるのに対し、例えば切り売りの商品の場合には従来の形式で、区分ずつメッキされる。メッキの際に、金属化不能な、要するに電気的に絶縁している周囲に沿ってだけ自由に接近し得る導体連続体の表面は、電気的に導く金属化部を形成し、これは次いで導電性の組織体を形成する。
【０００８】
小さい電流強さから中くらいの電流強さまでに適している導体組織体は、本発明によれば、要するに著しく安価に製作することができ、この場合−ただ１つの多成分押し出し工程において−金属化不能な、電気絶縁性の熱可塑性のプラスティックから支持体が、及び支持体内で縁取りされて延びている導体連続体がこれに対し金属化可能な熱可塑性プラスティックから、押し出される；
次いでメッキの過程で強制的に単に、支持体の絶縁されている周囲内で露出している、かつしたがって例えばアダプタによってオームの接点接続をされる導体連続体の表面だけが、電流を導くために選択的に金属化される。
【０００９】
本発明をより詳細に説明するために、別の請求項のほかに、以下の図面において寸法を正しくなくかつ重要な点を抽象化して横断面を示した、本発明による解決策のための実施例の説明も指摘する。
【００１０】
図１に示した導体連続体は従来の、横断面がほぼＵ形あるいは槽形の、電気的に絶縁している、電流レール１１の支持体１２のプロフィールを有している。その内部において、側壁１３を結合しているヨーク１４上で、レール１１の縦方向で互いに平行に延びている溝１５が構成されており、これらの溝はヨーク１４内に形成されていて、あるいは図示のように、ヨーク上に押し出された縦リブ１６の間に縁取られていることができる。好ましくは一体に押し出された支持体１２は、熱可塑性のプラスティック、例えば「ポリアミド１２」、液晶ポリマ（ＬＣＰ）あるいはポリブチレンテレフタレート（ＰＢＴ）から成り、その表面は実際上メッキにより金属化し得ないのに対し、溝１５は単一の押し出し過程の間に「ポリアミド６」のようなガラス繊維を備えたプラスティックあるいは変態せしめられたＬＣＰから成るプラスティックで満たされ、その表面は容易に金属化可能である。メッキはしたがってリブ１６の間で縦方向に延びている接近可能な自由な端面だけに行われ、この自由な端面上だけに（しかし支持体１２の外面上にではなしに）押し出しプロセスに続く電流レールのメッキ処理において金属化部１８が残りなしに形成される。金属化部は次いで通り抜ける、機械的に接点接続可能な電気的な導体として、接合板、係止フックあるいは孔（図示せず）のような組み立て補助手段を備えた支持体１２の絶縁された周囲内で、作用する。
【００１１】
本発明の対象は、しかし上位概念の形式の従来の電流レールの展開に限定されるものではなく、選択的な金属化のために押し出し成分の少なくとも１つが、少なくとも１つの別の押し出し材料の絶縁性の周囲内で、良好に金属化可能な表面を有しているときに、複数の材料から同時に押し出された、支持体又は流導管のような構造部分の形の、任意の別の導体組織体をも含んでいる。そこで本発明の範囲内で、もはや外部から適用されずに、今や製作プロセスの経過内で既に一体の導管案内を車両構造及び装置構造のために備えている、任意の横断面形の構造的な支持体も製作することができる。このための例は図２及び図３に示されている。
【００１２】
図２は、横断面でほぼだ円形のコア１９を示し、このコアは横断面において短く星形に突出しているリブ２０の端面を除いて、支持体１２により被覆されている。露出しているリブ端面上の金属化部１８はこの場合（ここでは：　上方に２つ及び下方に２つ）外方から接点接続可能な電気的な導体を形成している。
【００１３】
このコア１９が、図３に示されていると同様に、中空であるときには、コアは単に例えば支持機構構造の支持体としてだけではなしに、流体のための導管として役立つことができ、この流体は例えば−例えば種々異なる室範囲の種々異なる空調のために−電気的に遠隔制御で局所的に分岐されかつ絞られることができる。このためにこの管導管の延びの途中でその分岐部において使用すべき電気機械的な調節エレメント（フラップ及び弁のような）は、この場合選択的に統合された金属化部１８への接点接続部を介して行うことができ、その場合このために個々の制御導線あるいは循環する母線導線を付加的に配線しなければならないことはない。このような制御部は、充分に邪魔なくかつ操作を確実に、その限りにおいて、図３において考慮された事情と同様に、単に中空コア１９（要するにこの場合電気的に導かない、加熱空気流のような流体のための管導管）の内周面に沿ってだけ延びる金属化部１８を、電気的な遠隔制御のために、考慮することができる。
【００１４】
それに応じて、図３には例えば複数の角柱状に並んだシャーレ形の支持体１２が設けられており、これらの支持体の間及びその内側に、それ自体、シャーレ形の角柱状の導体連続体１７が延びている。全体として中空のコア１９として作用するシャーレ形の導体連続体１７はここでは支持体１２と共に、押し出しプロセスにおいて同時に、管導管形の中空支持体に結合されている。この中空支持体は、金属化のために接近可能な導体連続体１７の表面によって、図示の実施例では、結局２つの中空シリンダ区分形の内部導体を、及び外縁に沿って６つの角柱区分形の外部導体をもたらす。導体組織体及びその個々の導体連続体は図３における図示と異なって、しかしまた任意の非対称的な横断面を有することもでき、例えば一緒に回転するシールリップあるいは支持体に沿って通り抜ける、組み立てプロフィールの形成によって、若しくは、単に非対称的なアダプタに相応して機能の理由から単にこの前規定された整向でだけ接点接続されることができるこの特別な非対称的な導体連続体横断面分布（図示せず）によって非対称的な横断面を有することもできる。
【００１５】
本発明による解決策の展開の範囲内で、更に、材料対を使用することもでき、この材料対は単に電気技術的な必要に関して、一面では絶縁性質及び他面では出力性質について最適化されているだけでなしに、付加的にあるいはその代わりに、他の、装飾的な要求を満たす。この最後に述べた代替策に関して、例えば比較的に軟質の材料（ＡＢＳのような）より成る支持体１２がゴムプロフィールとして役立つことができ、これは、金属化可能な、これに対し硬質な材料（ＴＰＥのような）から、例えば自動車車体の飾り条片のためにクロームメッキ可能な連続材と、１つの工程で押し出される。これに応じて、上述の形式の本発明による導体組織体は、縦方向に延びる、直接に形成されて押し出される、三重の共有押し出し成形物としてのシールリップと同時に形成することもできる。
【図面の簡単な説明】
【図１】
典型的な槽状の構成の、２つの導体連続体から完全に一体に押し出された電流レールを、その横断面端部の破断図で示す。
【図２】
被覆部を横断面が星形に半径方向で貫通する縦リブを備えただ円形の横断面の、支持体により被覆された、押し出された導体連続体コアを、この例では５極の外部から接点接続可能な電流レールとして、示す。
【図３】
図２の展開として、複数のシャーレ形の支持体の間の、複数の平行な導体連続体上の、複数の縦方向に延びる外側導体及び内側導体から成る中空角柱状の、一体の支持組織体を示す。
【符号の説明】
１１　電流レール、　１２　支持体、　１３　側壁、　１４　ヨーク、　１５　溝、　１６　縦リブ、　１７　導体連続体、　１８　金属化部、　１９　コア、　２０　リブ
【国際公開パンフレット】
2004512634.tif 000003
2004512634.tif 000004
2004512634.tif 000005
2004512634.tif 000006
2004512634.tif 000007
2004512634.tif 000008
2004512634.tif 000009
2004512634.tif 000010
2004512634.tif 000011
2004512634.tif 000012
2004512634.tif 000013
【国際調査報告】
2004512634.tif 000014
2004512634.tif 000015
2004512634.tif 000016
2004512634.tif 000017